(57)【要約】      （修正有）【課題】災害時に使用する、軽量、簡単構造、小経費、コンパクトで水を使わない機能を有する簡易トイレを提供する。【解決手段】洋式便器１０の中に大便用容器６と小便用容器７を組み合わせて設置し、大便と小便の分離仕切り板４を取り付けた便座３に座り、大便は樹脂状袋２を被せた皿状大便用容器部分６に敷き詰めた木製チップ１の上に排泄後さらに木製チップをまぶし袋２を取り外し処分し、小便は底部が簀子状の小便用容器７内の木炭層５を通過して洋式便器に排出する。【選択図】図１
2015104652.tif 000002
【特許請求の範囲】
【請求項１】
社会インフラ特に水道が止まり生活上水洗トイレが使用不可の場合の排拙処装置に関するものである。洋式トイレの場合、洋式便器１０内に大便用容器６と小便用容器７を組み合わせ設置し、大便と小便の分離仕切り板４を取付けた便座３に座り、大便は皿状大便用容器６に樹脂製袋２を被せその上に敷き詰めた木質チップ１上に排泄した後さらに木質チップをまぶし袋を取り出し縛り処理する。小便は簀子状底部１９を有する小便用容器７内の木炭層５を通過し洋式便器１０に排出する水を使わない簡易トイレ装置。
【請求項２】
和式便器の場合、上記大便用容器６と小便用容器７を組み合わせた当該簡易トイレの下部に内部が空洞な基礎部台座９を和式便器を跨ぐように設置し、大便は上記同様樹脂製袋２と木質チップ１で処理し、小便は仕切り板４で大便容器６に入らないよう分離し小便用容器７内の木炭層５を通過し簀子状底部１９から和式便器８に排出する水を使わない簡易トイレ装置。
【請求項３】
災害時の避難所では、上記大便用容器６と小便用容器７を組み合わせた当該簡易トイレの下部に内部が空洞な基礎部台座９を設置し、大便は上記同様樹脂製袋２と木製チップ１で処理し、小便は上記同様木炭層５を通過し簀子状底部１９から上記基礎部台座９空洞内に置かれた容器１７で受け入れ後取り出し処理する水を使わない簡易トイレ装置。
【請求項４】
災害時避難所で長期間当該簡易トイレを必要とする場合、大便を処理する為の木質チップを大量に貯蔵できる容器１２を設置し２重の筒１３をハンドル１４で回転して木質チップを供給出来るようにし大便処理の利便性向上のための木質チップ貯蔵容器装置。
【発明の詳細な説明】
【技術分野】
【０００１】    文化生活が定着し水洗トイレが普及しているが、突然インフラの電気、ガス、水道等特に水道が止まった場合水洗トイレは使用不可となり各家庭、マンション、オフィスビルのトイレは機能不全となる。災害の場合の避難所は悲惨である。下水道の復旧が最も時間が係る。便器の排出口が詰まると小便器も使えず、一般家庭では下水管からの逆流も起こる。簡易な設備で小経費、コンパクト、事前ストック出来るトイレが求められる。
【背景技術】
【０００２】    先行技術文献には、大便及び小便を乾燥、分解、凝固、バイオ処理等が示されているが、設備が大規模で電気等エネルギーが必要である。平常時の技術であり緊急災害時の簡単構造、コンパクト、エネルギーの不要，小経費ではない。特開第平１１−３４６９５５号公開では大便、小便分離便器だが緊急時の設備ではない。特開第平８−２７５９０７号公開では水、紙を不使用の簡易トイレを提案している。【０００３】    緊急時の簡易トイレ、レジャー用トイレとして大便、小便を一緒に水性物凝固剤、高分子吸水ポリマー、高機能吸水ポリマー等の薬剤で処理するものが製品化されているが、１回当たり２００〜４００円係る。人は１日６〜１２回トイレを使用，４人家族では２４〜４８回、１日４８００円〜１９２００円係る。内１〜３回が大便であることから大便、小便分離して処理し、経費の面からも有効なトイレが求められる。
【先行技術文献】
【特許文献】
【０００４】
【特許文献１】  特開第２００６−３３４９４号公開
【特許文献２】  特開第２００７−３７８９８号公開
【特許文献３】  特開第２００８−１３２２８８号公開
【特許文献４】  特開第２０１０−２６００３９号公開
【特許文献５】  特開第２０１１−１６７５０６号公開
【特許文献６】  特開第平８−２７５９０７号公開
【特許文献７】  特開第平１１−３４６９５５号公開
【発明の概要】
【発明が解決しようとする課題】
【０００５】    トイレの水が使えない場合の先行技術は平時に於ける装置、設備で大規模にして電気等エネルギーも必要とする。事前にストックして置けるコンパクト、簡易構造、小経費で既存の様式並びに和式便器に取り付けられ、災害時の避難所での使用にも対応出来るインフラ停止特に水が使えない緊急時での簡易トイレが求められる。
【課題を解決するための手段】
【０００６】    洋式便器の場合、便器の中に入るよう大便用容器６及び小便用容器７を組み合わせ設置、大便と小便を仕切る分離板４をとりつけた便座３に座り大便用容器には樹脂製袋２を被せその中にオガ屑ないし顆粒状木質チップ１を敷いておく。小便は大便器容器６に入らないよう取り付けた分離板４を介し木炭５層を有し底が簀子状１９になっている小便容器７に入り洋式便器１０へと排出される。上記大便は更に顆粒木質チップを追加まぶし樹脂製袋を取り外し上を縛り処理する。【０００７】    和式便器の場合、上記当該大便用容器６及び小便器容器７の下部に安定して和式便器を跨ぐように取り付けられる構造の基礎部台座９を組み合わせ、使用方法並びに使用状況は洋式便器に取り付けた場合と同様であり、大便は木製チップ１及び樹脂製袋２で処理し基礎部台座９の内部は空洞で小便は木炭層を通過し和式便器８の中に落ち処理される。【０００８】    災害時避難所等で使用する場合には、和式便器で使用する場合の上記当該大便用容器６小便用容器７の下部に取り付けた基礎部台座９の空洞部内の中に小便を受ける容器１７を設置し小便をこの容器で受け処理し、大便は前記同様木製チップ１と樹脂製袋２にて処理する。樹脂製パイプ２０を組み合わせ組み立てカーテンを引いて遮蔽した内部で用を足せるようにする。（図１４、１５、１６）【０００９】    大便を処理する顆粒状木製チップ１５ｋｇ〜２０ｋｇを容器１２に貯蔵しハンドル１４を回し出口１５から樋１６を通し当該大便用容器の皿上部に被せた樹脂製袋上に流し利便性を良くする。ハンドル１４と容器１２の中の２重式の筒構造の回転に伴う木製チップが出口１５に排出する工程を図１０に示す。
【発明の効果】
【００１０】    トイレの使用回数は平均１日６〜１２回内５〜８回が小便であり水洗トイレでの処理水量は大便で１２リットル、小便で４リットル必要とし、インフラ停止及び災害時、特に水の使用不可の場合排便処理は深刻な問題であり、水を必要としない当発明の大便、小便別処理は高価な凝固剤等薬剤の使用もなく、木質チップによる大便のみの処理方法は使用容易、経済的のみならず環境や間伐材利用の地域経済にも好影響である。
【図面の簡単な説明】
【００１１】
【図１】  イメージ全体図
【図２】  洋式便器用簡易トイレ配置図
【図３】  洋式便器用簡易トイレＡ−Ａ断面図
【図４】  洋式便器用簡易トイレＢ−Ｂ断面図
【図５】  簡易トイレ全体平面図
【図６】  簡易トイレ全体側面図
【図７】  大便、小便分離用仕切り板
【図８】  顆粒木質チップ貯蔵容器側面図
【図９】  顆粒木質チップ貯蔵容器正面図
【図１０】  顆粒木質チップ供給用２重筒回転部展開図
【図１１】  和式便器用簡易トイレ平面配置図
【図１２】  和式便器用簡易トイレ側面配置図
【図１３】  和式便器用簡易トイレ正面配置図
【図１４】  避難所で使用する場合の側面参考図
【図１５】  避難所で使用する場合の平面参考図
【図１６】  避難所で使用する場合の正面参考図
【発明を実施するための形態】
【００１２】    軽量、コンパクト、簡単構造，小経費、取扱い容易で事前にストック可能な安価な水を必要としない簡易トイレを目的とする。洋式便器１０に入るよう大便用容器６と小便用容器７を組み合わせ、皿状の大便用容器６部分に樹脂製袋２を被せ顆粒状木製チップを敷き詰めて置き小便が大便用容器６に入らないように小便分離仕切り板４を取り付けた便座３を設置し便座に座り排泄する。大便処理は木製チップ上の大便にさらに木製チップをまぶし樹脂製袋を取り外し袋を縛り処分する。小便は小便用容器７の底が簀子１９状で層状に木炭５を入れてある容器内を通って洋式便器１０内に排出される。
【００１３】    和式便器８の場合、上記当該大便用容器６と小便用容器７を組み合わせた容器の下部に和式便器を跨ぐように組み合わせた構造の基礎部台座９を取り付け使用排泄処理する。洋式便器の場合と同様大便は木製チップを敷き詰めた樹脂製袋で処理し、小便は木炭層を通って和式便器内に排出される。
【実施例】
【００１４】    災害時マンホールのふたを外し直接簡易トイレを設置し排泄処理することがある。当該水を使用しない簡易トイレもパイプ２０で組み合わせ、組み立てカーテンレール１８に雨除けシートを掛け遮蔽して使用できる。室内の場合は布製カーテンでもよい。室内で使用する場合は大便は前記同様樹脂製袋２と木製チップ１で処理し、小便は大便用容器６と小便用容器７を組み合わせた容器下部に組み込んだ空洞の基礎部台座９内の小便受け容器１７で受け排出し当該容器１７を外に取り出し処分する。【００１５】    大便を処理する顆粒状木製チップを手を使ってスプーンで大便用容器上の樹脂製袋上に乗せるのを、１５ｋｇ〜２０ｋ容量の貯蔵タンク１２を設置しハンドル１４操作で木製チップを大便用容器上の樹脂製袋上に供給できる。
【産業上の利用可能性】
【００１６】    先行技術文献にはバイオ技術処理、分解処理、乾燥処理、凝固固化処理等すぐれた技術がみられるが多くが平時での大規模な設備、電気や熱等のエネルギーが必要であり、災害時インフラが停止した場合人間の排泄処理は生きる上で特に都市生活上大問題である。インフラ特に水道、下水道復帰するまで水を使用しない当該簡易トイレは事前に各家庭、オフィスビル、高層マンション更に地方自治体がストック出来るような簡単構造、コンパクト、小経費、使用が容易であるため利用の可能性は十分あると思われる。
【符号の説明】１        顆粒状木質チップ
２        大便処理用樹脂製袋
３        便座
４        大便、小便分離仕切り板
５        木炭層
６        大便用容器
７        小便用容器
８        和式トイレ
９        下部基礎部台座
１０      洋式トイレ
１１      顆粒状木質チップ貯蔵容器の蓋
１２      顆粒状木質チップ貯蔵容器
１３      顆粒状木質チップ供給用２重の回転筒
１４      顆粒状木質チップ供給用ハンドル
１５      顆粒状木質チップ供給口
１６      顆粒状木質チップ供給樋
１７      小便受け容器
１８      遮蔽用カーテンレール
１９      小便用容器簀子状底部
２０      遮蔽囲い用組み立てポール
【図１】
2015104652.tif 000003
【図２】
2015104652.tif 000004
【図３】
2015104652.tif 000005
【図４】
2015104652.tif 000006
【図５】
2015104652.tif 000007
【図６】
2015104652.tif 000008
【図７】
2015104652.tif 000009
【図８】
2015104652.tif 000010
【図９】
2015104652.tif 000011
【図１０】
2015104652.tif 000012
【図１１】
2015104652.tif 000013
【図１２】
2015104652.tif 000014
【図１３】
2015104652.tif 000015
【図１４】
2015104652.tif 000016
【図１５】
2015104652.tif 000017
【図１６】
2015104652.tif 000018
【手続補正書】
【提出日】平成26年8月27日(2014.8.27)
【手続補正１】
【補正対象書類名】特許請求の範囲
【補正対象項目名】全文
【補正方法】変更
【補正の内容】
【特許請求の範囲】
【請求項１】
洋式便器に設置される簡易トイレ装置であって、樹脂製袋２を被せその上に木製チップ１を敷き詰めた大便用容器６と、大便用容器６を組み合わせて設置され、簀子状底部１９を有し、内部に木炭層５を有する小便用容器７と、大便と小便の分離仕切り板４を取り付けた便座３とを備え、小便は小便用容器７内の木炭層５を通過し洋式便器１０に排泄することを特徴とする水を使わない簡易トイレ装置。
【請求項２】
和式便器に設置される簡易トイレ装置であって、樹脂製袋２を被せその上に木質チップ１を敷き詰めた大便用容器６と、大便用容器６と組み合わせて設置され、簀子状底部１９を有し、内部に木炭層５を有する小便用容器７と、大便用容器６と小便用容器７の下部において和式便器を跨ぐように設置され、内部が空洞である基礎部台座９とを備え、小便は小便用容器７内の木炭層５を通過し和式便器８に排出することを特徴とする水を使わない簡易トイレ装置
【請求項３】
災害時の避難所で用いられる簡易トイレ装置であって、樹脂製袋２を被せその上に木質チップ１を敷き詰めた大便用容器６と、大便用容器６と組み合わせて設置され、簀子状底部１９を有し内部に木炭層５を有する小便用容器７と、大便用容器６と小便用容器７の下部に設置され内部が空洞である基礎部台座９と、大便と小便の分離仕切り板４を取り付けた便座３と、基礎部台座９内に設置される小便受け容器１７を備えてあり、小便は、小便用容器７内の木炭層５を通過し小便受け容器１７に排出することを特徴とする水を使わない簡易トイレ装置。